(57)【要約】【課題】  ユーザの目視による選択などの操作を行うことなく、フィルム画像とデジタル画像の色調を容易に合致させることが可能な画像表示装置を提供する。【解決手段】  本発明の画像表示装置は、画像データに基づく画像を画面に表示する表示手段と、画面上に配置されたフィルムの色を検出する検出手段と、画面における第１の領域に表示される画像の画像データに対して、検出手段が検出した、画面における第２の領域上に配置される前記フィルムの色に応じて、所定の色補正を行う補正手段と、を備える。【選択図】  図１
2014204903.tif 000002
【特許請求の範囲】
【請求項１】
画像データに基づく画像を画面に表示する表示手段と、
前記画面上に配置されたフィルムの色を検出する検出手段と、
前記画面における第１の領域に表示される画像の画像データに対して、前記検出手段が検出した、前記画面における第２の領域上に配置される前記フィルムの色に応じて、所定の色補正を行う補正手段と、
を備えることを特徴とする画像表示装置。
【請求項２】
前記補正手段は、前記フィルムが前記画面上に配置されている場合に、前記検出手段が検出した前記フィルムの色に応じて、前記画像データに対して、前記所定の色補正として、前記フィルムの色に対応する色温度となる補正を行うことを特徴とする請求項１に記載の画像表示装置。
【請求項３】
前記フィルムが前記画面上に配置されているか否かを検知する検知手段をさらに備え、
前記検出手段は、前記検知手段が前記画面上に前記フィルムが配置されていることを検知した場合に、自動的に、前記フィルムの色を検出することを特徴とする請求項１または２に記載の画像表示装置。
【請求項４】
前記画面を構成する複数の分割領域のそれぞれに対して、個別に発光輝度を制御可能な発光手段をさらに備え、
前記発光手段は、前記検知手段が前記画面上に前記フィルムが配置されていると検知した場合に、前記第２の領域に対して、所定の輝度で、光を自動的に照射することを特徴とする請求項３に記載の画像表示装置。
【請求項５】
前記表示手段によって表示される前記フィルムの各色に対応する色毎の、予め実行されるキャリブレーションによる結果を記憶する記憶手段をさらに備え、
前記補正手段は、前記記憶手段に記憶される前記キャリブレーションの結果に基づいて、前記所定の色補正を行うことを特徴とする請求項１から４のいずれか１項に記載の画像表示装置。
【請求項６】
さらに、前記記憶手段は、前記表示手段によって表示される画像の色を予め記憶し、
前記表示手段は、前記検知手段が前記画面上に前記フィルムが配置されていないことを検知した場合に、前記記憶手段に予め記憶された色で画像を表示することを特徴とする請求項５に記載の画像表示装置。
【請求項７】
前記発光手段は、前記第１の領域における、前記第１の領域と前記第２の領域の境界近傍の領域に対する発光輝度、及び、前記第２の領域における、前記第１の領域と前記第２の領域の境界近傍の領域に対する発光輝度の少なくとも一方を、前記第２の領域に対して照射される光が前記第１の領域へ漏れることによって生じる、前記第１の領域に対する影響の度合いに基づいて制御することを特徴とする請求項１から６のいずれか１項に記載の画像表示装置。
【請求項８】
前記表示手段は、前記第２の領域において、白色の画像データに基づく画像を表示することを特徴とする請求項１から７のいずれか１項に記載の画像表示装置。
【請求項９】
前記決定手段は、前記第１の領域及び前記第２の領域の前記画面上での位置を、前記画像データに基づく画像の、フィルムが配置される前の表示状態におけるサイズ及び数の少なくとも一方と、配置されるフィルムのサイズ、数及び前記画面上での位置の少なくともいずれかと、に基づいて決定することを特徴とする請求項１から８のいずれか１項に記載の画像表示装置。
【請求項１０】
画像データに基づく画像を画面に表示する表示ステップと、
前記画面上に配置されたフィルムの色を検出する検出ステップと、
前記画面における第１の領域に表示される画像の画像データに対して、前記検出ステップにおいて検出した、前記画面における第２の領域上に配置される前記フィルムの色に応じて、所定の色補正を行う補正ステップと、
を備えることを特徴とする画像表示装置の制御方法。
【請求項１１】
前記補正ステップでは、前記フィルムが前記画面上に配置されている場合に、前記検出ステップにおいて検出した前記フィルムの色に応じて、前記画像データに対して、前記所定の補正として、前記フィルムの色に対応する色温度となる補正を行うことを特徴とする請求項１０に記載の画像表示装置の制御方法。
【請求項１２】
前記フィルムが前記画面上に配置されているか否かを検知する検知ステップをさらに備え、
前記検出ステップでは、前記検知ステップにおいて前記画面上に前記フィルムが配置されていることを検知した場合に、自動的に、前記フィルムの色を検出することを特徴とする請求項１０または１１に記載の画像表示装置の制御方法。
【請求項１３】
前記発光ステップでは、前記検知ステップにおいて前記画面上に前記フィルムが配置されていると検知した場合に、前記第２の領域に対して、所定の輝度で、光を自動的に照射することを特徴とする請求項１２に記載の画像表示装置の制御方法。
【請求項１４】
前記表示ステップにおいて表示する前記フィルムの各色に対応する色毎の、予め実行されるキャリブレーションによる結果を記憶する記憶ステップをさらに備え、
前記補正ステップでは、前記記憶ステップにおいて記憶する前記キャリブレーションの結果に基づいて、前記所定の補正を行うことを特徴とする請求項１０から１３のいずれか１項に記載の画像表示装置の制御方法。
【請求項１５】
さらに、前記記憶ステップでは、前記表示ステップにおいて表示する画像の色を予め記憶し、
前記表示ステップでは、前記検知ステップにおいて前記画面上に前記フィルムが配置されていないことを検知した場合に、前記記憶ステップにおいて予め記憶した色で画像を表示することを特徴とする請求項１４に記載の画像表示装置の制御方法。
【請求項１６】
前記発光ステップでは、前記第１の領域における、前記第１の領域と前記第２の領域の境界近傍の領域に対する発光輝度、及び、前記第２の領域における、前記第１の領域と前記第２の領域の境界近傍の領域に対する発光輝度の少なくとも一方を、前記第２の領域に対して照射される光が前記第１の領域へ漏れることによって生じる、前記第１の領域に対する影響の度合いに基づいて制御することを特徴とする請求項１１から１５のいずれか１項に記載の画像表示装置の制御方法。
【請求項１７】
前記表示ステップでは、前記第２の領域において、白色の画像データに基づく画像を表示することを特徴とする請求項１０から１６のいずれか１項に記載の画像表示装置の制御方法。
【請求項１８】
前記決定ステップでは、前記第１の領域及び前記第２の領域の前記画面上での位置を、前記画像データに基づく画像の、フィルムが配置される前の表示状態におけるサイズ及び数の少なくとも一方と、配置されるフィルムのサイズ、数及び前記画面上での位置の少なくともいずれかと、に基づいて、決定することを特徴とする請求項１０から１７のいずれか１項に記載の画像表示装置の制御方法。
【発明の詳細な説明】
【技術分野】
【０００１】
本発明は、画像表示装置及びその制御方法に関するものである。
【背景技術】
【０００２】
近年、医療現場では、Ｘ線装置やＭＲＩ装置などの医用診断装置により撮影された診断画像を用いる診断（画像診断）が行われる。従来は、この診断画像をＸ線フィルムなどの画像記録フィルムに出力していたが、これでは画像記録フィルムのコストがかかってしまう。さらに、画像診断時において診断画像が多い場合には、画像記録フィルムの枚数も多くなり、画像診断を効率的に行うことができない、といった問題なども発生していた。そこで、近年では、これらの問題を解決するために、診断画像を画像記録フィルムに出力するのではなく、診断画像のデジタル画像データを液晶表示装置などの画像表示装置に出力して、デジタル画像データに基づく診断画像であるデジタル診断画像を画像表示装置に表示させる場合が増加している。また、近年、医療現場では、画像診断時において、現在の診断部位のデジタル画像データに基づく診断画像（デジタル画像）と、過去に撮影された画像記録フィルムによる診断画像（フィルム画像）とを、比較する診断が行われる場合がある。
【０００３】
また、近年、バックライトを高輝度で発光させ、液晶パネルに白色の画像を表示することにより、本体をシャウカステンとして用いる機能を搭載した液晶表示装置が普及している。さらに、液晶表示装置において、画面を構成する複数の分割領域のそれぞれに対応する発光領域毎に、入力画像データ（入力画像信号）に応じて、ＬＥＤ（Ｌｉｇｈｔ  Ｅｍｉｔｔｉｎｇ  Ｄｉｏｄｅ）などの光源から構成されるバックライトの発光輝度を個別に制御する、所謂ローカルディミング制御技術が提案されている。これらの技術を組み合わせることで、１台の画像表示装置の表示領域において、発光装置を高輝度で発光させ、前面に固定されたフィルム画像に背面から光を当てることでフィルム画像を見ることを可能とする画像表示装置である、所謂シャウカステンとして用いる領域と、デジタル画像データに基づいた輝度で発光させてデジタル診断画像を表示する領域とに分けることが可能となる。その結果、画像記録フィルムによる診断画像と、デジタル画像データに基づく診断画像との比較診断を、１台の画像表示装置で実現できるようになり、利便性が向上する。そのため、今後、このような機能を搭載した画像表示装置の普及が予想される。
【０００４】
ところで、一般的には、画像記録フィルムとして、無色透明のクリアベースフィルムと、薄い青色のブルーベースフィルムの２種類の色調のフィルムが用いられる。そのため、医療用の画像表示装置においても、一般的には、前述の２種類のフィルムのうちのどちらかの色調に合わせるように、デジタル診断画像の色調が調整される。
【０００５】
しかしながら、画像記録フィルムによる診断画像と、デジタル画像データに基づく診断画像との比較診断を行う場合において、画像記録フィルムによる診断画像における選択したフィルムの色調と、デジタル画像データに基づく診断画像における画像表示装置が設定した色調とが異なる場合がある。このような場合において、病巣の内容把握などを目的とした比較診断を行う際、双方の画像の色調が異なったまま診断してしまうと、誤診断につながる可能性がある。
【０００６】
そこで、フィルム画像とデジタル画像の色調の違いを緩和するために、色調の異なる複数のサンプル画像を画像表示装置に表示し、ユーザからの選択を受け付け、選択されたサンプル画像の色調に合致させるように色調の調整処理を行う技術が開示されている（特許文献１参照）。このような技術は、簡単な構成でフィルム画像とデジタル画像の色調の違いを緩和できる効果があった。
【先行技術文献】
【特許文献】
【０００７】
【特許文献１】特開２００２−３２５７３５号公報
【発明の概要】
【発明が解決しようとする課題】
【０００８】
しかしながら、上述した従来技術では、ユーザがサンプル画像を選択する必要があるため、すぐにフィルム画像とデジタル画像を比較したい場合などには、操作が煩雑であった。また、ユーザが目視で色調を合わせるため、高い精度が得られなかった。
【０００９】
そこで本発明は、ユーザの目視による選択などの操作を行うことなく、フィルム画像とデジタル画像の色調を容易に合致させることが可能な画像表示装置の提供を目的とする。
【課題を解決するための手段】
【００１０】
本発明の第１の態様は、画像表示装置であって、画像データに基づく画像を画面に表示する表示手段と、前記画面上に配置されたフィルムの色を検出する検出手段と、前記画面における第１の領域に表示される画像の画像データに対して、前記検出手段が検出した、前記画面における第２の領域上に配置される前記フィルムの色に応じて、所定の色補正を行う補正手段と、を備える。
【００１１】
本発明の第２の態様は、画像表示装置の制御方法であって、画像データに基づく画像を画面に表示する表示ステップと、前記画面上に配置されたフィルムの色を検出する検出ステップと、前記画面における第１の領域に表示される画像の画像データに対して、前記検出ステップにおいて検出した、前記画面における第２の領域上に配置される前記フィルムの色に応じて、所定の色補正を行う補正ステップと、を備える。
【発明の効果】
【００１２】
本発明によれば、自動でフィルム色を取得してデジタル画像の色調を制御することで、煩雑な操作をすることなく、フィルム画像とデジタル画像の色調を精度良く合致させることが可能となる。
【図面の簡単な説明】
【００１３】
【図１】本発明の実施例１に係る画像表示装置のブロック図である。
【図２】本発明の実施例１に係る画像表示領域の分割の一例を説明するための模式図である。
【図３】本発明の実施例１に係るデジタル画像データに基づく診断画像の色調の変更処理を説明するためのフローチャートである。
【図４】本発明の実施例１に係る画像表示領域の分割の過程を説明するための説明図である。
【図５】本発明の実施例１に係る領域の境界部の光源制御の一例を説明するための模式図である。
【図６】本発明の実施例２に係る画像表示装置のブロック図である。
【図７】本発明の実施例２に係るＬＵＴの生成方法の概略図である。
【図８】本発明の実施例２に係るＬＵＴの生成処理を説明するためのフローチャートである。
【図９】本発明の実施例２に係るデジタル画像データに基づく診断画像の色調の変更処理を説明するためのフローチャートである。
【発明を実施するための形態】
【００１４】
＜実施例１＞
以下、本発明の実施例１に係る画像表示装置及びその制御方法について説明する。
【００１５】
＜モニタ１００＞
図１は、本実施例に係る画像表示装置１００のブロック図である。図１を参照して、実施例１に係る画像表示装置１００について説明する。画像表示装置１００は、デジタル画像データ（以下、画像データという）に基づくデジタル画像（画像データに基づく画像）を表示部１０４に表示するための装置である。本実施例では、画像表示装置１００がモニタである場合の例を説明する。以下、画像表示装置１００をモニタ１００と呼ぶ。
【００１６】
モニタ１００は、図１に示すように、ＣＰＵ１０１、入力部１０２、データ処理部１０３、表示部１０４、光源制御部１０５、光源部１０６、フィルム検知部１０７、フィルム色取得部１０８、記憶部１０９、領域制御部１１０、フィルム固定部１１１を有する。
【００１７】
ＣＰＵ（Ｃｅｎｔｒａｌ  Ｐｒｏｃｅｓｓｉｎｇ  Ｕｎｉｔ）１０１は、記憶部１０９に格納されているコンピュータプログラムに従ってモニタ１００全体の動作を制御する。入力部１０２は、外部装置２００から、通信インタフェース（不図示）等を通じて供給される画像データを受信し、受信した画像データをデータ処理部１０３に供給する。
【００１８】
データ処理部１０３は、入力部１０２から供給される画像データ（入力画像データ）を表示部１０４で表示可能な形式に変換する処理を行う演算装置である。データ処理部１０３によって変換された画像データは、データ処理部１０３から表示部１０４に供給される。データ処理部１０３は、領域制御部１１０の指示に基づいて、後述する、表示部１０４に供給する画像データの一部を白色の画像に変更する処理も行う。さらに、データ処理部１０３は、後述する、表示部１０４に供給する画像データの色調を制御する処理も行う。
【００１９】
表示部１０４（表示ユニット）は、液晶パネルにより構成される。表示部１０４は、後述する光源部１０６が発した光を、画像データに応じた透過率で透過することにより、画像データに基づく画像を画面に表示する。具体的には、表示部１０４は、複数の液晶素子を有しており、各液晶素子の透過率（液晶の開放率）が画像データの階調値に応じて変更される。そして、各液晶素子が、光源部１０６が発した光を変更後の透過率で透過することにより、画面に画像が表示される。
【００２０】
光源制御部１０５は、後述する光源部１０６における発光領域毎の発光輝度（発光強度）を制御する演算装置である。光源制御部１０５は、領域制御部１１０の指示に基づいて、光源部１０６における所定の発光領域（後述する、シャウカステンとして用いる領域に対応する発光領域）の発光輝度を変更する処理も行う。なお、本実施例では、光源制御部１０５と光源部１０６とで、発光ユニットが構成される。
【００２１】
光源部１０６は、表示部１０４に対して、表示部１０４の背面から照射する光を発する（発光する）、例えば白色のＬＥＤ（Ｌｉｇｈｔ  Ｅｍｉｔｔｉｎｇ  Ｄｉｏｄｅ）の光源により構成される発光装置である。本実施例では、例えば、バックライトが用いられる。光源部１０６は、後述の図５に示されるように、複数の発光領域に分割され、光源制御部１０５により発光領域毎に独立した発光輝度で制御可能な構成である。具体的には、光源部１０６は、表示部１０４の表示領域（画面を構成する領域）の分割に応じて、複数の発光領域に分割されるよう、光源制御部１０５によって設定される。言い換えれば、光源部１０６は、画面を構成する複数の分割領域のそれぞれに対して、当該複数の分割領域に対応する発光領域毎に、個別に発光輝度を制御可能である。そして、光源部１０６における各分割領域に対する発光輝度（光源部１０６の各発光領域における発光輝度）は、各分割領域における画像データに基づく発光輝度に応じて、光源制御部１０５によって制御される。なお、光源部１０６を構成するＬＥＤは、白色のＬＥＤに限らない。例えば、赤色ＬＥＤ（ＲＬＥＤ）、緑色ＬＥＤ（ＧＬＥＤ）、青色ＬＥＤ（ＢＬＥＤ）の３つのＬＥＤを組み合わせたＲＧＢＬＥＤなどで構成されてもよい。
【００２２】
フィルム検知部１０７（検知ユニット）は、表示部１０４上（画面上）に画像記録フィルム（以下、フィルムという）が配置されたことを検知するセンサである。フィルム検知部１０７は、表示部１０４上に設けられ、フィルム検知部１０７と表示部１０４の間にフィルムが配置されたことを検知することで、表示部１０４上にフィルムが固定されたと判断する。そして、フィルム検知部１０７は、当該検知結果をＣＰＵ１０１に通知する。
【００２３】
フィルム色取得部１０８（検出ユニット）は、表示部１０４上に固定されるフィルムの色を測定する測色センサである。フィルム色取得部１０８は、測定した色の情報をＣＰＵ１０１に通知する。
【００２４】
記憶部１０９（記憶ユニット）は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの不揮発性メモリを有する。また、記憶部１０９は、ＣＰＵ１０１のワークエリアとして機能するメモリを有する。また、記憶部１０９には、色毎の色温度に関する情報が記憶されている。
【００２５】
領域制御部１１０（決定ユニット）は、表示部１０４の表示領域において、後述する、画像データに基づく診断画像（デジタル診断画像）を表示する領域と、シャウカステンとして用いる領域とを決定する。さらに、領域制御部１１０は、表示部１０４におけるフィルムが配置された領域に対応する所定の領域を、シャウカステンとして用いるための制御を行う。具体的には、領域制御部１１０は、ＣＰＵ１０１から出力されるフィルム検知部１０７の検知結果に応じて、データ処理部１０３に対して、表示部１０４に供給する、シャウカステンとして用いる領域に表示する画像の画像データを、白色の画像の画像データに変更するよう指示する。さらに、領域制御部１１０は、ＣＰＵ１０１から通知されるフィルム色取得部１０８が取得した色の情報に応じて、データ処理部１０３に対して、表示部１０４に表示する画像の色調を制御するよう指示する。
【００２６】
また、領域制御部１１０は、ＣＰＵ１０１から通知されるフィルム検知部１０７の検知結果に応じて、光源制御部１０５に対して、光源部１０６における、シャウカステンとして用いる領域に対応する発光領域の発光輝度を変更するよう指示する。具体的には、シャウカステンとして用いる領域に対応する発光領域の発光輝度を高くし、かつ、データ処理部１０３が、表示部１０４のシャウカステンとして用いる領域に白色の画像を表示するように制御することで、表示部１０４の一部の領域をシャウカステンとして用いることが可能となる。シャウカステンとして用いる領域についての詳細は、後述する。
【００２７】
フィルム固定部１１１は、表示部１０４に配置されたフィルムを固定するための部材である。フィルム固定部１１１は、例えば、ばね構造であり、ばね構造による弾性力で表示部１０４にフィルムを押圧することで、フィルムを引き抜き可能な状態で固定する。
【００２８】
＜表示領域の分割＞
図２は、本実施例に係る表示領域の分割の一例を説明するための模式図である。図２を参照して、表示部１０４上にフィルムが配置され、フィルム固定部１１１により固定された際に、フィルムが配置された領域をシャウカステンとして用いる際の、表示領域の分割状態の一例を説明する。
【００２９】
本実施例では、図２に示すように、例えば、表示部１０４の右側における上部に、１個のフィルム検知部１０７が配置され、フィルム検知部１０７と表示部１０４の間にフィルムが挿し込まれた場合について説明する。この場合、図２に示すように、モニタ１００の表示領域（表示部１０４の表示領域；画面を構成する領域）は、画像データに基づく診断画像を表示する領域２０１（以下、第１の領域２０１という）と、シャウカステンとして用いる領域２０２（以下、第２の領域２０２という）とに分割される。本実施例では、領域制御部１１０が、第１の領域２０１と第２の領域２０２とを決定し、表示部１０４の表示領域を２つの領域に分割する指示をデータ処理部１０３に対して行う。なお、本実施例では、第１の領域２０１と第２の領域２０２は、簡略化のため、図２に示すように、表示部１０４の中央で左右に分割されるものとして説明するが、これに限らない。例えば、フィルムが配置された領域を取得して、当該領域のみを第２の領域２０２とするようにしても本発明を適用可能である。
【００３０】
また、本実施例では、フィルム検知部１０７が表示部１０４における上部に配置されているが、フィルム検知部１０７が配置される位置は、これに限らない。例えば、フィルム検知部１０７は、表示部１０４における下部に配置されてもよい。また、配置されるフィルム検知部１０７の個数は、１個とは限らない。１台のモニタ１００に、複数個のフィルム検知部１０７が設けられてもよい。さらに、フィルム検知部１０７は、固定して配置されなくてもよく、移動可能な構成であってもよい。
【００３１】
また、本実施例では、フィルム固定部１１１が表示部１０４における上部に配置されているが、フィルム固定部１１１が配置される位置は、これに限らない。例えば、フィルム固定部１１１は、表示部１０４における下部に配置されてもよい。また、配置されるフィルム固定部１１１の個数は、１個とは限らない。１台のモニタ１００に、複数個のフィルム固定部１１１が設けられてもよい。さらに、フィルム固定部１１１は、固定して配置されなくてもよく、移動可能な構成であってもよい。
【００３２】
＜色調の変更処理＞
図３は、本実施例に係るモニタ１００で行われる、画像データに基づく診断画像の色調の変更処理を説明するためのフローチャートである。また、図４は、本実施例に係る画像表示領域の分割の過程を説明するための説明図である。図３及び図４を参照して、本実施例に係るモニタ１００で行われる、画像データに基づく診断画像の色調の変更処理（以下、色調の変更処理という）について説明する。
【００３３】
色調の変更処理とは、表示部１０４上にフィルムが配置された際に、フィルムの色を取得し、第１の領域２０１の色調をフィルムの色調に合わせるように制御する処理である。なお、色調の変更処理は、モニタ１００の電源がオンの状態である場合に、所定の周期で実行される処理であり、ＣＰＵ１０１が記憶部１０９に格納されているコンピュータプログラムを実行することによって制御される。
【００３４】
図３において、まず、ＣＰＵ１０１は、フィルム検知部１０７より通知される検知結果を用いて、表示部１０４上にフィルムが配置されたか否かを判定する（ステップＳ３０１）。表示部１０４上にフィルムが配置された場合（ステップＳ３０１でＹＥＳと判定された場合）、ステップＳ３０１からステップＳ３０２に進む。表示部１０４上にフィルムが配置されていない場合（ステップＳ３０１でＮＯと判定された場合）、ステップＳ３０１からステップＳ３０７に進む。
【００３５】
フィルムが配置された場合（ステップＳ３０１でＹＥＳと判定された場合）、領域制御部１１０は、画面における、画像データに基づく診断画像を表示する第１の領域２０１と、シャウカステンとして利用するための第２の領域２０２とを生成するよう、データ処理部１０３に対して指示する（Ｓ３０２）。ここで、Ｓ３０２の処理について、具体例を挙げて説明する。例えば、図４で示されるように、画面の中央に画像データに基づく診断画像を表示していたとする。このときに、ユーザがフィルムをフィルム固定部１１１に固定し、フィルム検知部１０７が、当該固定されたフィルムを検知すると、領域制御部１１０は、画面の左側に第１の領域２０１を設定するよう、データ処理部１０３に指示する。さらに、領域制御部１１０は、画面の右側に第２の領域２０２を設定するよう、データ処理部１０３に指示する。このようにして、第１の領域２０１と第２の領域２０２とが設定される。なお、本実施例では、第１の領域２０１と第２の領域２０２の２つの領域数の場合を例に説明したが、これに限らない。フィルムが配置される前の表示状態におけるデジタル診断画像（フィルムが配置される前の表示画像）の数や大きさ（サイズ）、配置されるフィルムの数や配置位置や大きさなどに応じて、例えば、領域数は３つ以上に設定されてもよい。このような領域に関するレイアウトのバリエーションについては、画面に表示される画像データに基づく診断画像の数や大きさ、固定されるフィルムの数や配置位置や大きさなどに応じて設定されるレイアウトのバリエーションを、予め記憶部１０９にレイアウト情報として記憶していればよい。なお、ユーザが、画像表示装置１００に設けられた操作用ボタン（不図示）や、リモコン操作（不図示）などを通して、予めシャウカステンモードを実行する設定を行い、予め、画面における第１の領域２０１と第２の領域２０２とを設定してもよい。この場合、Ｓ３０１でＹｅｓと判定されれば、Ｓ３０２の処理を行わず、Ｓ３０３の処理を行うよう制御すればよい。
【００３６】
そして、次に、第２の領域２０２をシャウカステンとして用いるため、第２の領域２０２に対応する光源部１０６の発光領域の発光輝度を高輝度に制御する（シャウカステンモードに移行する）必要がある。そこで、ＣＰＵ１０１は、領域制御部１１０に対して、フィルムが配置されたことを通知する。そして、領域制御部１１０は、ＣＰＵ１０１からの通知を受けて、光源制御部１０５に対して、光源部１０６における第２の領域２０２に対応する発光領域の発光輝度が、所定の輝度（高輝度）となるよう指示する。そして、光源制御部１０５は、光源部１０６における第２の領域２０２に対応する発光領域の発光輝度を、第２の領域２０２が所定の輝度となるように変更する（ステップＳ３０３）。なお、従来は、シャウカステンモードへの移行は、リモコン操作（不図示）や画像表示装置１００に設けられた操作用ボタン（不図示）などを用いて、ユーザが手動で行っていた。しかし、Ｓ３０１、Ｓ３０２、Ｓ３０３で行われる制御により、自動的にシャウカステンモードへの移行が可能となる。その結果、ユーザの利便性がより一層高まる。なお、本実施例では、所定の輝度として、一般的なシャウカステンモードで用いられる３０００ｃｄ以上の値が設定される。しかし、フィルムを透過して視聴可能な程度の輝度であれば、所定の輝度として、３０００ｃｄよりも低い値が設定されてもよい。
【００３７】
次に、第２の領域２０２上に配置されたフィルムが正しい色調で見えるようにするため、第２の領域２０２を、色づきのない白色で表示する（ステップＳ３０４）。これは、第２の領域２０２が色づいて表示されていると、フィルムの色と重なってしまい、正しい色調で見えなくなってしまうことを防ぐために必要な処理である。具体的には、領域制御部１１０が、データ処理部１０３に対して、第２の領域２０２の色調をクリアベースフィルム相当の無色透明に変更するよう指示する。指示を受けたデータ処理部１０３は、記憶部１０９からクリアベースフィルムの色温度に関する情報を読み出し、第２の領域２０２が当該色温度で表示されるように制御する。なお、本実施例では、クリアベースフィルムの色温度の値は、６５００Ｋとして、記憶部１０９に記憶しているが、これに限らない。色温度は、表示部１０４の性能に依存するため、表示部１０４の性能に応じて重みづけられた値の色温度が、記憶部１０９に記憶されていてもよい。
【００３８】
次に、第２の領域２０２において、白色の画像を表示する（ステップＳ３０５）。具体的には、領域制御部１１０が、データ処理部１０３に対して、第２の領域２０２に白色の画像を表示するよう指示する。そして、指示を受けたデータ処理部１０３は、第２の領域２０２に白色の画像を表示する制御を行う。
【００３９】
次に、第１の領域２０１の色調を第２の領域２０２上に配置されたフィルムの色調に合わせるため、フィルムの色に関する情報を取得する（ステップＳ３０６）。具体的には、ＣＰＵ１０１が、フィルム色取得部１０８に対し、フィルムの色を取得するよう指示する。指示を受けたフィルム色取得部１０８は、第２の領域２０２上に配置されたフィルムの色を測定し、当該色に関する情報をＣＰＵ１０１に通知する。
【００４０】
次に、第１の領域２０１の色調を、第２の領域２０２上に配置されたフィルムの色調に合わせる（ステップＳ３０７）。具体的には、ＣＰＵ１０１が、領域制御部１１０に対して、ステップＳ３０５において取得した色の情報を通知する。そして、領域制御部１１０は、ＣＰＵ１０１から通知された色の情報をデータ処理部１０３に対して供給する。それとともに、領域制御部１１０は、データ処理部１０３に対して、第１の領域２０１の色調を、第２の領域２０２上に配置されたフィルムの色調と合わせるよう指示する。データ処理部１０３は、記憶部１０９から、第２の領域２０２上に配置されたフィルムの色調に対応する色温度情報を読み出し、第１の領域２０１が当該色温度で表示されるように、表示部１０４に供給する画像データの色を制御する。例えば、ブルーベースフィルムが配置された場合には、データ処理部１０３は、１２０００Ｋの色温度情報に基づいて、画像データに基づく診断画像が青色になるように制御する。また、クリアベースフィルムが配置された場合には、データ処理部１０３は、６５００Ｋの色温度情報に基づいて、画像データに基づく診断画像が色づかないように制御する。以上の制御が完了後、本フローを終了する。
【００４１】
一方、ステップＳ３０１でＮＯと判定された場合について、ステップＳ３０８とステップＳ３０９を用いて説明する。なお、ステップＳ３０８及びステップＳ３０９の処理は、予め表示部１０４上にフィルムが配置された状態から、フィルムが外された状態に遷移した場合にのみ行うこととする。
【００４２】
ステップＳ３０１でＮＯと判定された場合、表示部１０４に表示される画像を、フィルムが配置される前の画像に戻すよう制御する（ステップＳ３０８）。本実施例では、図４における上図の画像を表示するよう制御する。このとき、画像の配置位置も、フィルムが配置される前の元の配置位置に戻すよう制御する。そこで、まずはステップＳ３０８において、ＣＰＵ１０１は、記憶部１０９から、フィルムが配置される前に設定された発光輝度を読み出し、領域制御部１１０に通知する。領域制御部１１０は、光源制御部１０５に対して、表示部１０４の表示領域全体が、ＣＰＵ１０１から通知された、フィルムが配置される前に設定された発光輝度となるよう指示する。そして、光源制御部１０５は、光源部１０６の各発光領域の発光輝度を、通知された発光輝度となるように制御する。
【００４３】
次に、領域制御部１１０は、データ処理部１０３に対し、表示部１０４の色温度を、フィルムが配置される前に設定された色調に基づく色温度に変更するよう指示する。データ処理部１０３は、記憶部１０９から、フィルムが配置される前に設定された色に基づく色温度情報を読み出し、表示部１０４の表示領域全体が当該色温度で表示されるように制御する（ステップＳ３０９）。
【００４４】
なお、ステップＳ３０３において、第２の領域２０２における光源部１０６の発光輝度を高輝度に制御することで、第１の領域２０１における第２の領域２０２との境界部では、第１の領域２０１の表示輝度が、画像データに基づく所望の輝度よりも高い輝度になってしまう場合がある。これは、第２の領域２０２に対して照射される光が、第１の領域２０１に漏れることによって発生する。このような場合、第２の領域２０２における第１の領域２０１との境界付近（境界近傍）に対応する発光領域の発光輝度を、その他の第２の領域２０２に対応する発光領域の発光輝度よりも低くなるように、光源部１０６を制御してもよい。このような場合、記憶部１０９に、発光輝度に応じた、第２の領域２０２に対して照射される光が第１の領域２０１へ漏れることによって生じる、第１の領域２０１における影響の度合いを、予め記憶されていればよい。そして、この予め記憶された影響の度合いに基づいて、光源制御部１０５は、図５に示されるように、第２の領域２０２における第１の領域２０１との境界付近に対応する発光領域の発光輝度を、その他の第２の領域２０２に対応する発光領域の発光輝度よりも低くなるように、光源部１０６を制御すればよい。また、逆に、第１の領域２０１における第２の領域２０２との境界付近に対応する発光領域の発光輝度を、その他の第１の領域２０１に対応する発光領域の発光輝度よりも低くなるように、光源部１０６を制御しても当然よく、この場合であっても、同様の効果を得ることができる。
【００４５】
以上のように、本実施例に係るモニタ１００において、表示部１０４上にフィルムが配置された際に、自動的に、配置されたフィルムの色に関する情報を取得し、第１の領域２０１の色調をフィルムの色調に合わせるようにした。これにより、ユーザが煩雑な選択や設定操作をすることなく、フィルム画像とデジタル画像の色調を合致させることが可能となる。
【００４６】
なお、本実施例では、モニタ１００がフィルム検知部１０７を備え、表示部１０４上にフィルムが配置されたことを自動で検知する構成で説明したが、これに限らない。例えば、表示部１０４上にフィルムが配置されたことを、例えば外部装置２００で検知し、モニタ１００に通知する構成であってもよい。また、ユーザがフィルムを配置されたことを、別途入力する構成であってもよい。
【００４７】
また、本実施例では、フィルム検知部１０７としてセンサを用いる構成で説明したが、これに限らない。フィルム検知部１０７としては、表示部１０４上にフィルムが配置されたことを検知できればよく、例えば、スイッチ等の部材であってもよい。また、本実施例では、フィルム色取得部１０８として、色センサを用いる構成で説明したが、これに限らない。医療分野で用いられるフィルムは、一般的にはクリアベース、ブルーベースの２種類であるため、少なくとも当該２種類のフィルムの区別が可能な精度を持ったセンサであればよい。
【００４８】
また、本実施例では、フィルム検知部１０７とフィルム色取得部１０８とは、それぞれ別部材とした構成で説明したが、これに限らない。フィルム検知部１０７とフィルム色取得部１０８とが、例えば、１つのセンサなどであってもよい。また、本実施例では、フィルム検知部１０７とフィルム固定部１１１とは、それぞれ別部材とした構成で説明したが、これに限らない。例えば、フィルム固定部１１１の裏面にセンサを備えることで、フィルム検知部１０７とフィルム固定部１１１とが１つの部材として構成されてもよい。なお、フィルム色取得部１０８についても同様であり、例えば、フィルム検知部１０７、フィルム色取得部１０８及びフィルム固定部１１１が、１つの部材として構成されてもよい。
【００４９】
また、本実施例では、色の指標として色温度を用いる例で説明したが、これに限らない。例えば、ｘｙ色度やｕｖ色度等、その他一般に用いられる表色の指標を用いて制御するようにしてもよい。また、本実施例では、第１の領域２０１の色調をフィルムの色調に合わせる処理を、データ処理部１０３が行う場合について説明したが、これに限らない。光源部１０６としてＲＧＢＬＥＤ等の各色のＬＥＤを個別に制御可能な構成の場合には、光源の発光色を変更するようにしてもよい。具体的には、例えば、ステップＳ３０６において、ブルーベースフィルムが配置されたことを検知した場合に、ステップＳ３０７において領域制御部１１０が光源制御部１０５に対して、第１の領域２０１の光源部１０６の発光色を青色に変更するように指示してもよい。
【００５０】
＜実施例２＞
図６乃至図９を参照して、実施例２に係る画像表示装置及びその制御方法について説明する。なお、実施例１と同じ機能部については、説明を省略する。
【００５１】
画像表示装置５００は、デジタル画像を表示部５０４に表示し、視聴するための装置である。本実施例では、実施例１と同様に、画像表示装置５００の一例としてモニタ（以下、モニタ５００という）を用いる。
【００５２】
本実施例では、モニタ５００と通信インタフェース等を介して接続される外部装置６００の一例としてＰｅｒｓｏｎａｌ  Ｃｏｍｐｕｔｅｒ（以下、ＰＣという）を用いる。もちろん、外部装置６００は、ＰＣに限るものではなく、通信インタフェース等を介して、画像データを供給する機能を備えた装置であれば、医用画像診断装置や医用画像生成装置等を、外部装置６００として用いてもよい。
【００５３】
＜モニタ５００＞
次に、図６を参照して、モニタ５００の構成の一例を説明する。図６は、実施例２に係るモニタ５００のブロック図である。モニタ５００は、図６に示すように、ＣＰＵ５０１、入力部５０２、データ処理部５０３、表示部５０４、光源制御部５０５、光源部５０６、フィルム検知部５０７、フィルム色取得部５０８、記憶部５０９、領域制御部５１０、通信部５１１、フィルム固定部５１２を有する。なお、これらの構成のうち、通信部５１１以外の構成については、実施例１において説明したモニタ１００と同様の構成であるため、説明を省略する。
【００５４】
通信部５１１は、通信インタフェースを介して、後述する通信部６０３と通信を行うことで、モニタ５００とＰＣ６００との間で、データや制御コマンドなどの送受信が行われる。通信部５１１が受信するデータや制御コマンドは、ＣＰＵ５０１に供給される。なお、本実施例におけるモニタ５００とＰＣ６００とにおける通信は、通信インタフェースのプロトコルに準拠した通信コマンド等を用いて実行される。
【００５５】
＜ＰＣ６００＞
次に、図６を参照して、ＰＣ６００の構成の一例を説明する。ＰＣ６００は、図６に示すように、ＣＰＵ６０１、出力部６０２、通信部６０３を有する。また、ＰＣ６００は、通信部６０３を介して、測定部６０４と接続されている。
【００５６】
ＣＰＵ６０１は、記憶部（不図示）に格納されているコンピュータプログラムに従ってＰＣ６００全体の動作を制御する。出力部６０２は、ＣＰＵ６０１の指示に基づいて画像データを生成し、通信インタフェース等を通じて、生成した画像データをモニタ５００に供給する。
【００５７】
通信部６０３は、通信インタフェースを介した通信を制御する。具体的には、通信部６０３は、ＣＰＵ６０１から供給されるデータや制御コマンドを、モニタ５００や測定部６０４に送信する。さらに、通信部６０３は、測定部６０４から受信したデータをＣＰＵ６０１に供給する。なお、本実施例におけるモニタ５００や測定部６０４との通信は、通信インタフェースのプロトコルに準拠した通信コマンド等を用いて行う。
【００５８】
測定部６０４は、画像の表示特性を測定するセンサである。測定部６０４は、通信部６０３の指示に基づいて、表示特性を測定し、得られた結果データを通信部６０３に送信する。なお、測定部６０４が測定して得られた結果データは、後述するモニタ５００のＬＵＴの生成に用いられる。測定部６０４としては、モニタ５００の表示部５０４の種類に応じて、輝度計や色度計などの公知の色センサを用いる。なお、測定部６０４として用いるセンサは、接触型でもよいし、非接触型でもよい。
【００５９】
＜表示領域の分割＞
表示領域の分割については、実施例１と同様であるため、説明を省略する。
【００６０】
＜ＬＵＴの生成＞
次に、図７、図８を参照して、モニタ５００のルックアップテーブル（以下、ＬＵＴという）の生成について説明する。ＬＵＴは、入力された画像データ（入力画像データ）を表示部５０４へ出力する際に、表示部５０４の個々の特性や劣化の状態を加味して、正しい色で画像が表示されるよう、画像データを補正するためのパラメータテーブルである。図７は、ＬＵＴの生成を実施する場合の外観を示した概略図である。本実施例では、図７に示すように、ＰＣ６００が送信したパッチ画像データに基づくパッチ画像をモニタ５００が表示し、測定部６０４の測定によって得られた結果データを用いて、ＰＣ６００が、モニタ５００のＬＵＴを生成する例を説明する。ＬＵＴは、所謂キャリブレーションによって生成され、ＰＣ６００が計算によって求めたＬＵＴをモニタ５００に送信し、当該ＬＵＴをモニタ５００の記憶部５０９に記憶する。ＬＵＴの生成は、モニタ５００の工場での製造時や工場からの出荷時に行ってもよいし、工場からの出荷後に、ユーザがＰＣ６００内で動作するアプリケーション等を用いて、所定のタイミングで行ってもよい。
【００６１】
本実施例では、少なくともフィルムの色に対応する色毎にキャリブレーションの目標値を設定し、キャリブレーションを行ってＬＵＴを生成して、当該ＬＵＴをモニタ５００の記憶部５０９に記憶するものとする。具体的には、例えば、モニタ５００がクリアベースとブルーベースの２種類のフィルムの色調に、デジタル画像の色調を合わせる制御を行うことができる場合には、クリアベースのＬＵＴと、ブルーベースのＬＵＴの、２種類のＬＵＴをモニタ５００の記憶部５０９に記憶する。
【００６２】
図８は、本実施例に係るＰＣ６００で行われるＬＵＴの生成処理の一例を説明するためのフローチャートである。ＬＵＴの生成処理は、フィルム色に対応する色毎にキャリブレーションの目標値を設定し、キャリブレーションを行ってＬＵＴを生成して、当該ＬＵＴをモニタ５００に送信する処理である。なお、ＬＵＴの生成処理によって送信されるフィルムの色に対応する色毎のＬＵＴは、モニタ５００の記憶部５０９に記憶される。
【００６３】
以下、本実施例では、モニタ５００がクリアベースとブルーベースの２種類のフィルムの色調に、デジタル画像の色調を合わせる制御を行うことができる場合について説明する。つまり、本実施例では、ＬＵＴの生成処理によって生成されるＬＵＴは、クリアベースのＬＵＴとブルーベースのＬＵＴの２種類となる。なお、ＬＵＴの生成処理の制御は、ＰＣ６００及びモニタ５００の電源がオンの状態である場合に、ＣＰＵ６０１が記憶部（不図示）に格納されているコンピュータプログラムを実行することによって制御される。
【００６４】
図８において、まず、ＣＰＵ６０１は、記憶部（不図示）よりクリアベースのキャリブレーションの目標値を読み出す（ステップＳ７０１）。そして、ＣＰＵ６０１は、通信部６０３を介してクリアベースの目標値でモニタ５００のキャリブレーションを行い、クリアベースのＬＵＴを生成する（ステップＳ７０２）。なお、キャリブレーションの目標値は、例えば、目標最大輝度値や目標最小輝度値、色温度、表示関数などの中から、任意に設定される。なお、キャリブレーションによりモニタ５００のＬＵＴを生成する具体的な処理方法は、一般に知られた方法であるので、ここでは説明を省略する。
【００６５】
次に、ＣＰＵ６０１は、通信部６０３に対して、ステップＳ７０２において生成したクリアベースのＬＵＴをモニタ５００に送信するよう指示する。そして、通信６０３は、ＣＰＵ６０１の指示に基づいてクリアベースのＬＵＴをモニタ５００に送信する（ステップＳ７０３）。
【００６６】
次に、ＣＰＵ６０１は、記憶部（不図示）よりブルーベースのキャリブレーションの目標値を読み出す（ステップＳ７０４）。そして、ＣＰＵ６０１は、通信部６０３を介してブルーベースの目標値でモニタ５００のキャリブレーションを行い、クリアベースのＬＵＴを生成する（ステップＳ７０５）。なお、ここでも、キャリブレーションによりモニタ５００のＬＵＴを生成する具体的な処理方法の説明は、省略する。
【００６７】
次に、ＣＰＵ６０１は、通信部６０３に対しステップＳ７０５において生成したブルーベースのＬＵＴをモニタ５００に送信するよう指示する。通信６０３は、ＣＰＵ６０１の指示に基づいてブルーベースのＬＵＴをモニタ５００に送信する（ステップＳ７０６）。
【００６８】
なお、本実施例では、ステップＳ７０１及びステップＳ７０４で、キャリブレーション目標値をＰＣ６００の記憶部（不図示）より読み出す例で説明したが、これに限らない。例えば、予めモニタ５００の記憶部５０４にクリアベース及びブルーベースのキャリブレーションの目標値が記憶されており、通信部６０３が通信により取得し、ＣＰＵ６０１に供給するようにしてもよい。また、例えば、ユーザが不図示のキーボード等の入力手段を介して、クリアベース及びブルーベースのキャリブレーション目標値を入力するものであってもよい。
【００６９】
＜色調の変更処理＞
次に、図９を参照して、本実施例に係るモニタ５００で行われる、第１の領域２０１における色調の変更処理について説明する。図９は、本実施例に係るモニタ５００で行われる、画像データに基づく診断画像の色調の変更処理を説明するためのフローチャートである。
【００７０】
色調の変更処理は、表示部５０４上にフィルムが配置された際に、フィルムの色を取得し、第１の領域２０１の色調をフィルムの色調に合わせるように、ＬＵＴの切り換え制御を行う処理である。なお、色調の変更処理の制御は、モニタ５００の電源がオンの状態である場合に、ＣＰＵ５０１が、記憶部５０９に格納されているコンピュータプログラムを実行することによって制御される。
【００７１】
図９において、まず、ＣＰＵ１０１は、フィルム検知部５０７より通知される検知結果を用いて、表示部５０４上にフィルムが配置されたか否かを判定する（ステップＳ８０１）。表示部５０４上にフィルムが配置された場合（ステップＳ８０１でＹＥＳと判定された場合）、ステップＳ８０１からステップＳ８０２に進む。表示部５０４上にフィルムが配置されていない場合（ステップＳ８０１でＮＯと判定された場合）、ステップＳ８０１からステップＳ８０９に進む。
【００７２】
フィルムが配置された場合（ステップＳ８０１でＹＥＳと判定された場合）、実施例１のＳ３０２同様に、領域制御部５１０は、画面における、画像データに基づく診断画像を表示する第１の領域２０１と、シャウカステンとして利用するための第２の領域２０２とを生成するよう、データ処理部５０３に対して指示する（ステップＳ８０２）。
【００７３】
次に、第２の領域２０２をシャウカステンとして用いるため、光源部５０６の第２の領域２０２に対応する発光領域の発光輝度を、高輝度に制御する必要がある。そこで、ＣＰＵ５０１は、領域制御部５１０に対して、フィルムが配置されたことを通知する。そして、領域制御部５１０は、ＣＰＵ５０１からの通知を受けて、光源制御部５０５に対して、光源部５０６における第２の領域２０２に対応する発光領域の発光輝度が、所定の輝度（高輝度）となるよう指示する。そして、光源制御部５０５は、光源部５０６における第２の領域２０２に対応する発光領域の発光輝度を、第２の領域２０２が所定の輝度となるように変更する（ステップＳ８０３）。なお、本実施例では、実施例１と同様に、所定の輝度として、一般的なシャウカステンで用いられる３０００ｃｄ以上の値が設定される。しかし、フィルムを透過して視聴可能な程度の輝度であれば、所定の輝度として、３０００ｃｄよりも低い値が設定されてもよい。
【００７４】
次に、表示部５０４における第２の領域２０２上に配置されたフィルムが正しい色調で見えるようにするため、第２の領域２０２を色づきのない白色で表示する必要がある。そこで、領域制御部５１０は、データ処理部５０３に対して、第２の領域２０２の色調をクリアベースフィルム相当に変更するよう指示する。データ処理部５０３は、記憶部５０９よりクリアベース用のＬＵＴを読み出し、第２の領域２０２の表示に適用するよう制御する（ステップＳ８０４）。
【００７５】
次に、ステップＳ８０５及びステップＳ８０６の処理を実行する。なお、ステップＳ８０５及びステップＳ８０６の処理は、実施例１におけるステップＳ３０５及びステップＳ３０６の処理と同様であるため、説明を省略する。
【００７６】
次に、第１の領域２０１の色調を第２の領域２０２上に配置されたフィルムの色調に合わせる必要がある。そこで、ＣＰＵ５０１は、ステップＳ８０６において取得した色の情報がクリアベースかブルーベースかを判定する（ステップＳ８０７）。クリアベースであると判定された場合（ステップＳ８０７でＹＥＳの場合）、本フローはステップＳ８０７からステップＳ８０８に進む。ブルーベースであると判定された場合（ステップＳ８０７でＮＯの場合）、本フローはステップＳ８０７からステップＳ８０９に進む。
【００７７】
クリアベースであると判定された場合（ステップＳ８０７でＹＥＳの場合）、第１の領域２０１をクリアベースフィルムの色調で表示する必要がある。そこで、ＣＰＵ５０１は、領域制御部５１０に対しクリアベースの情報を通知する。領域制御部５１０は、ＣＰＵ５０１から通知された情報に基づいて、データ処理部５０３に対し第１の領域２０１の色調をクリアベースフィルム相当に変更するよう指示する。そして、データ処理部５０３は、記憶部５０９よりクリアベースのＬＵＴを読み出し、当該ＬＵＴに基づいて、第１の領域２０１における色調を制御する（ステップＳ８０８）。
【００７８】
ブルーベースであると判定された場合（ステップＳ８０７でＮＯの場合）、第１の領域２０１をブルーベースフィルムの色調で表示する必要がある。そこで、ＣＰＵ５０１は、領域制御部５１０に対して、ブルーベースの情報を通知する。領域制御部５１０は、ＣＰＵ５０１から通知された情報に基づいて、データ処理部５０３に対し第１の領域２０１の色調をブルーベースフィルム相当に変更するよう指示する。データ処理部５０３は、記憶部５０９よりブルーベースのＬＵＴを読み出し、当該ＬＵＴに基づいて、第１の領域２０１における色調を制御する（ステップＳ８０９）。
【００７９】
ステップＳ８０１でＮＯと判定された場合、表示部５０４に表示される画像を、フィルムが配置される前の画像に戻すよう制御する（ステップＳ８１０）。そこで、まずはステップＳ８１０において、ＣＰＵ１０１は、記憶部５０９から、フィルムが配置される前に設定された輝度を読み出し、領域制御部５１０に通知する。領域制御部５１０は、光源制御部５０５に対して、表示部５０４の表示領域全体がＣＰＵ５０１から通知された輝度となるよう指示する。そして、光源制御部５０５は、光源部５０６の各発光領域の発光輝度を、通知された輝度となるように制御する。
【００８０】
次に、領域制御部５１０は、データ処理部５０３に対して、表示部５０４の表示領域全体の色調を予め設定された色調に変更するよう指示する。データ処理部５０３は、記憶部５０９より、予め適用していた（フィルムが配置されない状態時に適用していた）ＬＵＴを読み出し、表示部５０４の表示領域全体に適用するように制御する（ステップＳ８１１）。なお、ステップＳ８０９及びステップＳ８１１の処理は、予め表示部５０４上にフィルムが配置された状態から、フィルムが外された場合にのみ行うこととする。
【００８１】
このように、本実施例に係るモニタ５００は、表示部５０４上にフィルムが配置された際に、フィルムの色を取得し、フィルムの色に対応するＬＵＴに基づいて、第１の領域２０１における色調を制御する。これにより、ユーザが煩雑な選択や設定操作をすることなく、フィルム画像とデジタル画像の色調を合致させることが可能となる。
【００８２】
なお、本実施例では、ＬＵＴの生成をＰＣ６００に測定部６０４を接続する構成で説明したが、これに限られない。例えば、モニタ５００に測定部６０４を接続する構成や、モニタ５００が測定部６０４を備える構成であっても、通信部５１１を介してＰＣ６００と測定部６０４との通信が可能な構成であればよい。また、キャリブレーションをモニタ５００のみで行える構成であれば、ＬＵＴの生成をモニタ５００のみで行ってもよい。
【００８３】
以上、図面を参照しながら本発明の好ましい実施形態について説明したが、本発明は係る例に限定されない。例えば、本発明においては、画像表示装置が、液晶パネルを有する液晶表示装置である場合の例を説明したが、画像表示装置は液晶表示装置に限らない。例えば、液晶パネルの代わりに、発光装置からの光を透過する表示素子として液晶素子以外の表示素子を有する表示パネルが用いられてもよい。
【００８４】
また、本発明においては、画像表示装置がモニタである例を説明したが、これに限らない。画像データに基づく画像を表示する機能を持つ装置であれば、例えば、テレビジョン受像機などの装置を、画像表示装置として用いてもよい。
【符号の説明】
【００８５】
１００  表示装置
１０１  ＣＰＵ
１０２  入力部
１０３  データ処理部
１０４  表示部
１０５  光源制御部
１０６  光源部
１０７  フィルム検知部
１０８  フィルム色取得部
１０９  記憶部
１１０  領域制御部
１１１  フィルム固定部
【図１】
2014204903.tif 000003
【図２】
2014204903.tif 000004
【図３】
2014204903.tif 000005
【図４】
2014204903.tif 000006
【図５】
2014204903.tif 000007
【図６】
2014204903.tif 000008
【図７】
2014204903.tif 000009
【図８】
2014204903.tif 000010
【図９】
2014204903.tif 000011